(57)【要約】【課題】  棒状部材に保持された商品を抜き出すことなく後部側に商品の追加を行うことができる陳列用フックを提供すること。【解決手段】  陳列装置１０のバックパネル１２に取り付けられる陳列用フック１５であり、当該陳列用フック１５は、バックパネル１２の横軸材２２に引っ掛けられる取付ベース２５と、この取付ベース２５と別体に設けられた棒状部材２６とからなる。取付ベース２５には、複数の装着部３０が形成されており、当該装着部３０に対して棒状部材２６が着脱自在に設けられている。【選択図】          図１
2006346205.tif 000002
【特許請求の範囲】
【請求項１】
陳列装置の支持体に取り付けられる陳列用フックであって、
前記支持体に取り付けられる取付ベースと、この取付ベースと別体に設けられるとともに陳列対象物を保持する棒材のみからなる棒状部材とを備え、
前記棒状部材は前記取付ベースに着脱自在に設けられていることを特徴とする陳列用フック。
【請求項２】
前記取付ベースは棒状部材の装着部を複数備え、これら装着部は、高さ位置が相互に異なる位置に設けられていることを特徴とする請求項１記載の陳列用フック。
【請求項３】
前記取付ベースは支持体に取り付けられたときに略鉛直面内に位置する板状部を備えているとともに、当該板状部の側端に開放する切欠部を上下複数箇所に備えて構成され、
前記棒状部材は、前記切欠部を通じて板状部の前後各面に係り合う屈曲軸部を備えていることを特徴とする請求項１又は２記載の陳列用フック。
【請求項４】
前記切欠部は、前記棒状部材の横ずれ防止部を備えていることを特徴とする請求項３記載の陳列用フック。
【請求項５】
前記取付ベースは支持体に取り付けられたときに略鉛直面内に位置する板状部を備えているとともに、当該板状部の面部分を切り起こして上下に延びる支持通路を備えて構成され、
前記棒状部材は、前記支持通路に差し込み可能な屈曲軸部を備えていることを特徴とする請求項１又は２記載の陳列用フック。
【発明の詳細な説明】
【技術分野】
【０００１】
本発明は陳列用フックに係り、更に詳しくは、商品パッケージの穴に挿入されて商品を吊り下げた状態で陳列することに適した陳列用フックに関する。
【背景技術】
【０００２】
公知の陳列用フックは、陳列装置の支持体を構成する横桟や横軸等に着脱自在に装着される取付ベースと、当該取付ベースから前方に向けて突出する棒状部材とにより構成されている。ここで、棒状部材は、取付ベースに対して一体的に形成された構成が一般的となっている。この陳列用フックは、陳列装置の横桟等に取付ベースを装着することで、前方に突出する棒状部材に各種の商品を吊り下げて陳列することができるが、高さ位置を調整する場合には、取付ベースの装着位置を変更することによって対応するものとなっている。
【０００３】
特許文献１には、棒状部材を一体に備えた取付ベースを高さ位置調整可能に設け、取付ベースを横桟等に付け替えることなく商品の陳列高さを調整することができる陳列用フックが示されている。
【０００４】
【特許文献１】実公平２−９７２６号公報
【発明の開示】
【発明が解決しようとする課題】
【０００５】
しかしながら、公知の陳列用フック並びに特許文献１に記載された陳列用フックは、棒状部材が取付ベースに一体に設けられている構成であるため、吊り下げ保持された商品の後部側に商品を追加して陳列する場合には、既に吊り下げられている商品を棒状部材から一旦抜き出さなければならない、という不都合がある。これは、陳列商品が店頭に並べられた時間的な順序に従って消費者に商品を購入してもらう必要のためである。
【０００６】
また、棒状部材が取付ベースに一体であることにより、棒状部材相互の上下方向間隔を細かくする場合には、取付ベースを支持する横桟の相互ピッチを細かくしなければ対応することができない。しかも、棒状部材の突出長さは常に一定のものとなり、広狭様々となる陳列スペースを機能的に利用する際のレイアウトの自由度も小さい、という不都合がある。
【０００７】
［発明の目的］
本発明は、このような不都合に着目して案出されたものであり、棒状部材に保持された商品を抜き出すことなく後部側に商品の追加を行うことができる陳列用フックを提供することにある。
【０００８】
また、本発明の他の目的は、取付ベースの面内において、棒状部材の取付高さを変更若しくは調整することができ、陳列スペースの有効利用を図ることのできる陳列用フックを提供することにある。
【課題を解決するための手段】
【０００９】
前記目的を達成するため、本発明は、陳列装置の支持体に取り付けられる陳列用フックであって、
前記支持体に取り付けられる取付ベースと、この取付ベースと別体に設けられるとともに陳列対象物を保持する棒材のみからなる棒状部材とを備え、
前記棒状部材は前記取付ベースに着脱自在に設けられる、という構成を採っている。
【００１０】
本発明において、前記取付ベースは棒状部材の装着部を複数備え、これら装着部は、高さ位置が相互に異なる位置に設けられる、という構成を採ることが好ましい。
【００１１】
また、前記取付ベースは支持体に取り付けられたときに略鉛直面内に位置する板状部を備えているとともに、当該板状部の側端に開放する切欠部を上下複数箇所に備えて構成され、
前記棒状部材は、前記切欠部を通じて板状部の前後各面に係り合う屈曲軸部を備える、という構成を採っている。ここで、切欠部は、前記棒状部材の横ずれ防止部を備えた構成とすることが好ましい。
【００１２】
更に、前記取付ベースは支持体に取り付けられたときに略鉛直面内に位置する板状部を備えているとともに、当該板状部の面部分を切り起こして上下に延びる支持通路を備えて構成され、
前記棒状部材は、前記支持通路に差し込み可能な屈曲軸部を備える、という構成を採用することもできる。
【発明の効果】
【００１３】
本発明によれば、棒材のみからなる棒状部材が取付ベースに着脱自在に設けられているため、棒状部材に保持された商品を抜き出すことなく棒状部材を取付ベースから外して後部側から商品の追加を行うことができる。
また、取付ベースは高さ位置が相互に異なる位置に棒状部材の装着部が設けられているため、取付ベースの位置を変更することなく、棒状部材の装着位置を変更することで、当該棒状部材の高さ位置調整を難なく行うことができる。
更に、取付ベースは側端に開放する切欠部を上下複数箇所に備える一方、棒状部材は、取付ベースの前後各面に係り合う屈曲部を備えているため、棒状部材を取付ベースに対して横方向に移動させる操作で棒状部材の着脱を行うことができる。
更に、切欠部に横ずれ防止部を設けることで、一旦装着された棒状部材が不用意に脱落してしまうような不都合を回避することができる。
なお、取付ベースを構成する板状部を切り起こして形成された支持通路に棒状部材を差し込み可能とした構成では、棒状部材を取付ベースに対して着脱する作業を極めて容易に行うことができる。
【発明を実施するための最良の形態】
【００１４】
以下、本発明の好ましい実施形態を図面を参照しながら説明する。
【００１５】
図１には、本実施形態に係る陳列用フックが適用された陳列装置の概略斜視図が示され、図２には、陳列用フックの拡大断面図が示されている。これらの図において、陳列装置１０は、左右一対の支柱１１，１１と、これら支柱１１の下部間に配置された幕板１２と、当該幕板１２の上部で支柱１１間に配置された支持体としてのバックパネル１３と、このバックパネル１３に取り付けられた陳列用フック１５とを備えて構成されている。
【００１６】
バックパネル１３は、角柱材等からなるフレーム枠２０と、このフレーム枠２０の内側領域で縦横に配設された多数本の縦軸材２１及び横軸材２２とにより構成され、横軸材２２を利用して陳列用フック１５が取り付けられるようになっている。
【００１７】
前記陳列用フック１５は、図２ないし図５に示されるように、上下二本の横軸材２２を跨ぐような状態でバックパネル１３に取り付けられる取付ベース２５と、この取付ベース２５から前方に突出する棒状部材２６とにより構成されている。取付ベース２５は、横軸材２２に引っ掛けてバックパネル１３に取り付けられたときに略鉛直面内に位置する略方形をなす板状部２７と、この板状部２７の上部に連設されて前記横軸材２２に係り合う引っ掛け部２８とからなる。板状部２７は、引っ掛け部２８が横軸材２２に係り合ったときに、その下部背面側に、一段下の横軸材２２が位置する上下寸法に設定され、これにより、取付ベース２５の取付姿勢が安定化されるようになっている。
【００１８】
前記板状部２７には、棒状部材２６を着脱自在に装着する装着部３０が、相互の高さが異なるように段違いとなる状態で、左右二箇所に設けられている。これらの装着部３０は、板状部２７の側端に凹状に開放する上下二段の切欠部３３，３４によってそれぞれ構成されている。各切欠部３３，３４は略水平向きとなる上縁３３Ａ、３４Ａ及び下縁３３Ｂ、３４Ｂと、略鉛直向きとなる底縁３３Ｃ、３４Ｃとにより構成され、下縁３３Ｂ、３４Ｂは、その底縁３３Ｃ、３４Ｃ寄りに、棒状部材の横ずれ防止部として作用する段落ち部３３ｂ、３４ｂが形成されている。なお、切欠部３３，３４の切欠幅は、棒状部材２６の直径よりも僅かに大きい程度とされている。
【００１９】
前記棒状部材２６は、商品等を吊り下げ保持する領域となる直線軸部３５と、この直線軸部３５の前端部に設けられて商品等の自然抜け落ちを規制する折り曲げ軸部３６と、取付ベース２５に対して棒状部材２６を着脱自在とする下向きの屈曲軸部３７とにより構成されている。屈曲軸部３７は、取付ベース２５の板状部２７の面に沿う上部軸部４０と、この上部軸部４０の下端から前向き下方に向けられた傾斜軸部４１と、この傾斜軸部４１の下端から下方に延びて板状部２７の面に沿う下部軸部４２とにより構成されている。
【００２０】
上部軸部４０は、切欠部３３，３４間の板状部２７の裏面部分に位置する一方、傾斜軸部４１は、切欠部３４を通じて前方に延びて下部軸部４２が板状部２７の前面部分に位置するように装着される。この際、直線軸部３５の後端と、傾斜軸部４１が段落ち部３３ｂ及び３４ｂに位置するようになり、これにより、棒状部材２６が切欠部３３，３４内において、横方向へのずれを生ずることなく一定の位置に保たれるようになっている。
【００２１】
前記陳列用フック１５を利用するときは、図１に示されるように、取付ベース２５を横軸材２２の任意の位置に引っ掛ける。そして、棒状部材２６を持ち、直線軸部３５の後部を上段側の切欠部３３の入り口に合わせる一方、傾斜軸部４１を下段側の切欠部３４の入り口に合わせ、この状態で、棒状部材２６と取付ベース２５とを横方向に相対移動させることで、一個の棒状部材２６を取付ベース２５に装着して商品陳列を行うことができ、この反対の操作を行うことで、棒状部材２６の取り外し並びに商品追加を行うことができる。
なお、図３に示されるように、取付ベース２５の各装着部３０，３０に棒状部材２６，２６をそれぞれ装着することも可能であり、これにより、横軸材２２の相互ピッチが大きくても、当該横軸材２２間の複数高さ位置で棒状部材２６を配置することができる。
【００２２】
従って、このような実施形態によれば、棒状部材２６が取付ベース２５に対して着脱自在であるから、棒状部材２６を取り外した状態で、その後部側から陳列対象物となる商品パッケージを追加、補充することが可能となる。
また、長さの異なる種々のタイプの棒状部材の採用が可能であり、陳列スペースに応じて機能的な陳列を行うことができる。
更に、取付ベース２５と棒状部材２６が別体であるため、それらを色違いとする構成を容易に採用でき、色違いによる陳列効果を向上させることが期待される他、コンパクトな状態で保管、輸送できるとともに、部品単位が小さいことで、紛失した際の部品補充コストも抑制することができる。
【００２３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置、などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、前記実施形態では、取付ベース２５を構成する板状部２７に切欠部３３，３４を形成することによって棒状部材２６の装着部３０を構成したが、本発明はこれに限定されるものではない。
【００２５】
すなわち、図６及び図７に示されるように、板状部２７の面内において、左右対称となる切り起こし片４０，４０を形成することで上下に開放する支持通路４２を設け、この支持通路４２に棒状部材２６の後部を差し込んで支持するようにしてもよい。この際、切り起こし片４０、４０の上部間に凹状部４３を形成し、この凹状部４３に棒状部材２６の直線軸部３５が略ぴったりと受容されるように構成すれば、当該棒状部材２６を平面内で回転させることなく真っ直ぐな姿勢に保持することが可能となる。また、支持通路４２は二段に設けておいてもよい。
なお、このような構成とした場合には、屈曲軸部３７は、直線軸部３５に対してシンプルな屈曲形状となるストレートタイプに形成される。
【００２６】
従って、このような変形例によれば、前記実施形態で得られる効果に加え、棒状部材２６の着脱操作をより容易に行うことが可能となる。
なお、前記変形例に示される棒状部材２６は、折り曲げ軸部３６を屈曲軸部３７と対称とする形状に設けることができ、この場合には、何れの軸部も取付ベース２５に着脱可能とすることができ、これにより、商品追加を行うときに、棒状部材２６を前後に反転させるだけで後部側の商品を手前側（前部側）に位置させることが可能となる。
【図面の簡単な説明】
【００２７】
【図１】陳列用フックが適用された陳列装置の概略斜視図。
【図２】図１の要部拡大断面図。
【図３】取付ベースに複数の棒状部材を装着した状態を示す概略斜視図。
【図４】取付ベースの正面図。
【図５】棒状部材の側面図。
【図６】変形例を示す陳列フックの概略斜視図。
【図７】図６の断面図。
【符号の説明】
【００２８】
１０  陳列装置
１３  バックパネル（支持体）
１５  陳列用フック
２２  横軸材
２５  取付ベース
２６  棒状部材
２７  板状部
３０  装着部
３３，３４  切欠部
３３ｂ，３４ｂ  段落ち部（横ずれ防止部）
３７  屈曲軸部
４０  切り起こし片
４２  支持通路
４３  凹状部
【図１】
2006346205.tif 000003
【図２】
2006346205.tif 000004
【図３】
2006346205.tif 000005
【図４】
2006346205.tif 000006
【図５】
2006346205.tif 000007
【図６】
2006346205.tif 000008
【図７】
2006346205.tif 000009